(57)【特許請求の範囲】
【請求項１】
予め設定された位置に複数の記入枠が設けられ、前記複数の記入枠内に記入されたマーキングを光学的に読み取るための光学的読取帳票であって、
前記複数の記入枠毎に複数の商品画像がそれぞれ対応して利用者の過去の注文履歴に応じて購入頻度が高い順に並べて設けられ、
前記複数の商品画像のうちのいくつかの商品画像が料理の素材の商品画像であって、その料理の素材に基づいて作られる料理の画像および当該料理を作るためのレシピ情報と、当該料理を作るために不足している料理の素材に対応する不足素材商品画像とが、前記複数の商品画像に対応する商品のうちの当該料理を作るために必要な料理の素材に対応する必要素材商品画像の近傍に配置されるとともに、
前記不足素材商品画像が配置されている領域と前記必要素材商品画像が配置されている領域がそれぞれ線分で結ばれることによって関連性が示されていることを特徴とする光学的読取帳票。
【請求項２】
前記不足素材商品画像と前記必要素材商品画像を結ぶ線分の近傍に、さらに前記不足素材商品画像に対応する商品を追加購入することを促すマークが付されている請求項１記載の光学的読取帳票。
【請求項３】
前記複数の記入枠が、対応した商品画像により示された商品を注文する注文数を示す数字を記入するために設けられている請求項１または２記載の光学的読取帳票。
【発明の詳細な説明】
【技術分野】
【０００１】
本発明は、光学的読取帳票に関する。
【背景技術】
【０００２】
特許文献１には、複数の記入枠を有し、筆記具により記入枠内をマーキングする光学式マークシートが開示されている。
【先行技術文献】
【特許文献】
【０００３】
【特許文献１】特許第４７８８９３８号公報
【発明の概要】
【発明が解決しようとする課題】
【０００４】
本発明の目的は、本来記入すべき記入枠とは異なる記入枠にマーキングしてしまうような誤記入を防ぐことが可能な光学的読取帳票を提供することである。
【課題を解決するための手段】
【０００５】
請求項１に係る本発明は、予め設定された位置に複数の記入枠が設けられ、前記複数の記入枠内に記入されたマーキングを光学的に読み取るための光学的読取帳票であって、
前記複数の記入枠毎に複数の商品画像がそれぞれ対応して利用者の過去の注文履歴に応じて購入頻度が高い順に並べて設けられ、
前記複数の商品画像のうちのいくつかの商品画像が料理の素材の商品画像であって、その料理の素材に基づいて作られる料理の画像および当該料理を作るためのレシピ情報と、当該料理を作るために不足している料理の素材に対応する不足素材商品画像とが、前記複数の商品画像に対応する商品のうちの当該料理を作るために必要な料理の素材に対応する必要素材商品画像の近傍に配置されるとともに、
前記不足素材商品画像が配置されている領域と前記必要素材商品画像が配置されている領域がそれぞれ線分で結ばれることによって関連性が示されていることを特徴とする光学的読取帳票である。
【０００６】
請求項２に係る本発明は、前記不足素材商品画像と前記必要素材商品画像を結ぶ線分の近傍に、さらに前記不足素材商品画像に対応する商品を追加購入することを促すマークが付されている請求項１記載の光学的読取帳票である。
【００１０】
請求項３に係る本発明は、前記複数の記入枠が、対応した商品画像により示された商品を注文する注文数を示す数字を記入するために設けられている請求項１または２記載の光学的読取帳票である。
【発明の効果】
【００１１】
請求項１に係る本発明によれば、商品画像と、その商品画像により示された商品を注文するための記入枠とが対応せずに別の用紙上に設けられている場合と比較して、本来記入すべき記入枠とは異なる記入枠にマーキングしてしまうような誤記入を防ぐことができる光学的読取帳票を提供することができる。
また、請求項１に係る本発明によれば、いつも同じ商品を購入する利用者にとっては、多くの商品画像の中から希望する商品の商品画像を探す手間を省くことができる光学的読取帳票を提供することができる。
さらに、請求項１に係る本発明によれば、利用者は、ある料理を作るのに必要な素材を全て購入することができる光学的読取帳票を提供することができる。
【００１２】
請求項２に係る本発明によれば、請求項１に係る発明により得られる効果に加えて、料理を作るために不足している料理の素材である不足素材商品の追加購入を利用者に対して促すことができる光学的読取帳票を提供することができる。
【００１６】
請求項３に係る本発明によれば、請求項１または２に係る発明により得られる効果に加えて、一度に複数個の商品を注文するような場合でも、本来記入すべき記入枠とは異なる記入枠にマーキングしてしまうような誤記入を防ぐことができる光学的読取帳票を提供することができる。
【図面の簡単な説明】
【００１７】
【図１】本発明の一実施形態の光学的読取帳票のあるページを示す図である。
【図２】本発明の一実施形態の光学的読取帳票の他のページを示す図である。
【発明を実施するための形態】
【００１８】
[背景]
まず、本発明の理解を助けるために、その背景及び概略を説明する。
【００１９】
近年では、入学試験、資格試験、数字選択式宝くじの購入票、通信販売会社の商品注文用紙等様々な場所で、光学的読取帳票（光学式マークシート、光学式マークカード）が広く使用されている。
【００２０】
この光学的読取帳票には、予め設定された位置に複数の記入枠（記入欄）が設けられ、この複数の記入枠内に記入された筆記具によるマーキング（記入された印、数字、文字）が光学式マーク読取装置（ＯＭＲ（Optical Mark Reader）スキャナ）によって光学的に読み取られる。マーキングの方法としては、単に楕円状の記入枠内を塗りつぶすだけのものや、記入枠内に数字を記入するようなものが存在する。
【００２１】
例えば、通信販売会社の商品注文の際には、商品注文用紙が光学的読取帳票として構成され、商品内容を説明するためのカタログとは独立した別紙となっている。
【００２２】
そのため、商品を注文しようとする利用者は、カタログを参照して購入する商品を決定後、その商品の商品番号や商品名等を参照して、別紙の商品注文用紙の対応する記入枠内に注文しようとする商品の数を筆記具により記入する必要がある。
【００２３】
しかし、商品を説明したカタログと、商品の注文数を記入する商品注文用紙とが別紙となっているため、利用者は本来注文しようとした商品とは別の商品に対応した記入枠に注文数を記入してしまうようなことが発生する可能性がある。特に似たような商品名で産地が異なる商品があるような場合には、購入しようとする商品とは別の商品の記入枠に注文数を記入してしまうような誤記入が発生する可能性がある。
【００２４】
また、本来記入すべき記入枠とは異なる記入枠に注文数を記入することにより、本来購入しようとする商品とは全く異なる商品を注文してしまうことにもなる。例えば、誤記入をする位置によっては、牛乳を注文したつもりでも、洋服を注文したことになってしまうような場合もある。
【００２５】
そのような事態が発生すると、利用者にとっては購入したつもりのない商品が届くこととなり、希望していない商品を誤って購入してしまうことになる。
【００２６】
[本発明の実施形態]
次に、本発明の実施の形態について図面を参照して詳細に説明する。
【００２７】
図１、図２は、本発明の一実施形態の光学的読取帳票の異なるページ（頁）を示す図である。
【００２８】
本実施形態の光学的読取帳票は、通信販売会社の利用者が商品を注文する際に利用する商品注文用紙に本発明を適用した場合である。この商品注文用紙には、予め設定された位置に複数の記入枠が設けられ、この複数の記入枠内に記入されたマーキングを光学的に読み取るための光学的読取帳票（光学式マークシート、光学式マークカード）となっている。
【００２９】
先ず、本実施形態の光学的読取帳票のあるページを図１を参照して説明する。
【００３０】
図１は、注文用紙の先頭ページとなっている。そして、本実施形態の光学的読取帳票には、通信販売会社で購入可能な商品を示す複数の商品画像２０と、その商品を注文するための複数の記入枠１０とが配置されていて、商品画像２０と、その商品を注文するための記入枠１０とがそれぞれ１対１で対応して設けられている。また、複数の記入枠１０は、対応した商品画像により示された商品を注文する注文数を示す数字を記入するために設けられている。
【００３１】
本実施形態の光学的読取帳票では、複数の記入枠１０毎に複数の商品画像２０がそれぞれ対応して設けられているため、通信販売会社の利用者が、注文しようとする商品とは別の商品を誤って注文するようなことを防ぐことができる。つまり、利用者が、本来記入すべき記入枠とは異なる記入枠にマーキングしてしまうような誤記入を防ぐことが可能となる。
【００３２】
また、本実施形態の光学的読取帳票では、平面視において、商品画像２０が設けられている位置の右下の領域に、記入枠１０がそれぞれ対応して設けられている。
【００３３】
そのため、本実施形態によれば、利用者が右利きであれば、記入の際に商品画像２０を手で隠してしまうことにならないため、商品画像２０を見ながら記入枠１０に注文数を記入することが可能である。その結果、本実施形態の光学的読取帳票によれば、購入を希望しない商品を誤って購入してしまうような可能性をさらに低くすることが可能となる。
【００３４】
さらに、本実施形態の光学的読取帳票では、商品画像２０が設けられている位置と記入枠１０が設けられている位置との間における、記入枠１０が設けられている位置の左上の領域に、商品画像２０が示す商品内容を説明するための文字が商品説明３０として設けられている。
【００３５】
そのため、本実施形態によれば、利用者が右利きであれば、同様の理由により、商品画像２０とともに商品説明３０を確認しながら注文数を記入することが可能であるため、購入を希望しない商品を誤って購入してしまうような可能性をさらに低くすることが可能となる。なお、この商品説明３０には、商品名や商品の値段だけでなく、商品の産地や他の特徴等の説明を含めるようにしても良い。
【００３６】
さらに、本実施形態の光学的読取帳票では、複数の商品画像２０のうちのいくつかの商品画像が料理の素材の商品画像であり、その料理の素材に基づいて作られる料理の画像４０および当該料理を作るためのレシピ情報が、料理の素材の商品画像２０の近傍に配置されている。
【００３７】
具体的には、図１に示される注文用紙のページでは、トマトパスタの料理画像４０が、このトマトパスタを作る際に必要な素材である、ニンニク、パスタ、レモン、オリーブオイル、トマト缶という５つの商品画像２０の近傍に配置されている。
【００３８】
そのため、利用者は、この５つの商品を全て注文することによりトマトパスタを作るのに必要な素材を全て購入することができる。つまり、利用者は、数多くある商品画像２０の中から作ろうとする料理に必要な素材を選択して注文しなくても、作ろうとする料理に必要な全ての素材を容易に揃えることができることになる。
【００３９】
次に、本実施形態の光学的読取帳票の他のページを図２を参照して説明する。
【００４０】
この図２に示されたページにおいても、図１に示したページと同様に、商品画像２０と、その商品画像２０に示される商品を注文するための記入枠１０とが１対１で対応して設けられている。また、同様に、商品画像２０と、記入枠１０とともに商品説明３０もそれぞれ対応して設けられている。
【００４１】
さらに、図２に示したページでは、複数の商品画像２０は、各利用者の過去の注文履歴に応じて購入頻度が高い順に各利用者毎に配置されている。
【００４２】
つまり、本実施形態の光学的読取帳票により実現される注文用紙では、各利用者毎に異なる内容となっており、配置される商品画像２０の配列が異なったものとなっている。
【００４３】
具体的には、図２に示した注文用紙が配布された利用者は、新鮮たまご、牛乳、しいたけ、人参、・・・の順番で過去に商品の購入を行っていることになる。そのため、いつも同じ商品を購入する利用者にとっては、多くの商品画像の中から希望する商品の商品画像を探す手間を省くことができる。
【００４４】
そして、図２に示したページにおいても、料理画像５０と、その料理画像５０の料理を作るために必要な素材の複数の商品画像２０とが対応して近傍に配置されている。
【００４５】
具体的には、ブロッコリーのポタージュの料理画像５０と、ブロッコリーのポタージュを作るために必要な牛乳やブロッコリーの商品画像２０とが近傍に配置されている。
【００４６】
そのため、本実施形態の光学的読取帳票によれば、良く牛乳を注文する利用者に対してブロッコリーの購入を提案することができるとともに、利用者にとってもよく購入する牛乳を使った料理を知ることができることになる。
【００４７】
なお、本実施形態では、通信販売会社の注文用紙に本発明を適用した場合を用いて説明したが、本発明はこのような場合に限定されるものではない。本発明は、光学的読取帳票を利用して商品の購入を行うような場合であれば同様に適用可能である。
【符号の説明】
【００４８】
１０    記入枠
２０    商品画像
３０    商品説明
４０、５０    料理画像
【要約】
【課題】本来記入すべき記入枠とは異なる記入枠にマーキングしてしまうような誤記入を防ぐことを可能とする。
【解決手段】通信販売会社の利用者のための注文用紙において、購入可能な商品を示す複数の商品画像２０と、その商品を注文するための複数の記入枠１０とが配置されていて、商品画像２０と、その商品を注文するための記入枠１０とがそれぞれ対応して設けられている。また、商品画像２０が設けられている位置と記入枠１０が設けられている位置との間における、記入枠１０が設けられている位置の左上の領域に、商品画像２０が示す商品内容を説明するための文字が商品説明３０として設けられている。
【選択図】図１【図１】
0005382630.tif 000002
【図２】
0005382630.tif 000003